(57)【要約】【課題】枠部材を連結して枠を形成しても、狭額縁を実現することができる表示装置を提供することを目的とする。【解決手段】映像を表示する表示パネルと、該表示パネルの周囲に配置されており、複数の枠部材を連結して構成された枠とを備える表示装置において、前記複数の枠部材における互いに隣接した部分に前記枠の内外方向に貫通した貫通孔が設けてあり、前記隣接した部分に設けてあり、前記複数の枠部材を連結する連結部と、前記貫通孔に対応した位置にて前記連結部に貫通して設けられており、前記貫通孔よりも軸方向寸法が短く、前記貫通孔に挿入された筒部と、前記貫通孔にて前記筒部の反対側に位置しており、前記枠部材に係合して前記筒部に連結する連結部材とを備えることを特徴とする。【選択図】図５
2016066009.tif 000002
【特許請求の範囲】
【請求項１】
映像を表示する表示パネルと、該表示パネルの周囲に配置されており、複数の枠部材を連結して構成された枠とを備える表示装置において、
前記複数の枠部材における互いに隣接した部分に前記枠の内外方向に貫通した貫通孔が設けてあり、
前記隣接した部分に設けてあり、前記複数の枠部材を連結する連結部と、
前記貫通孔に対応した位置にて前記連結部に貫通して設けられており、前記貫通孔よりも軸方向寸法が短く、前記貫通孔に挿入された筒部と、
前記貫通孔にて前記筒部の反対側に位置しており、前記枠部材に係合して前記筒部に連結する連結部材と
を備えることを特徴とする表示装置。
【請求項２】
前記筒部は前記連結部に一体成形されていることを特徴とする請求項１に記載の表示装置。
【請求項３】
前記連結部に前記筒部を挿入する挿入孔が形成してあり、
前記筒部は前記挿入孔に挿入され、前記連結部にかしめられていること
を特徴とする請求項１に記載の表示装置。
【発明の詳細な説明】
【技術分野】
【０００１】
本発明は画像を表示する表示装置に関する。
【背景技術】
【０００２】
表示画面の大きさに比べて室内の占有面積が小さい薄型の表示装置は、限られた室内空間を有効に利用することができるので、一般に広く普及している。表示装置は、例えば液晶パネルによって構成される表示パネルと、該表示パネルの背面側に配置してある導光板と、該導光板に光を出射する光源と、導光板の背面側に配置してあるバックライトシャーシとを備える（例えば特許文献１参照）。
【０００３】
近年では、バックライトシャーシの背面側に矩形の収容枠を設け、該収容枠内に、表示パネル、導光板及びバックライトシャーシが収容される場合がある。収容枠は、例えば棒状をなす四つの枠部材それぞれの端部をボルトで連結して構成される。
【先行技術文献】
【特許文献】
【０００４】
【特許文献１】特開２０１４−１４９５５１号公報
【発明の概要】
【発明が解決しようとする課題】
【０００５】
四つの枠部材をボルトで連結した場合、収容枠の四隅の上下又は左右幅が大きくなり、また連結部分に段差が生じる。そのため、正面から視認した場合において、額縁を狭くすることができず、外観意匠性が低下する。
【０００６】
本発明は斯かる事情に鑑みてなされたものであり、枠部材を連結して枠を形成しても、狭額縁を実現することができる表示装置を提供することを目的とする。
【課題を解決するための手段】
【０００７】
本発明に係る表示装置は、映像を表示する表示パネルと、該表示パネルの周囲に配置されており、複数の枠部材を連結して構成された枠とを備える表示装置において、前記複数の枠部材における互いに隣接した部分に前記枠の内外方向に貫通した貫通孔が設けてあり、前記隣接した部分に設けてあり、前記複数の枠部材を連結する連結部と、前記貫通孔に対応した位置にて前記連結部に貫通して設けられており、前記貫通孔よりも軸方向寸法が短く、前記貫通孔に挿入された筒部と、前記貫通孔にて前記筒部の反対側に位置しており、前記枠部材に係合して前記筒部に連結する連結部材とを備えることを特徴とする。
【０００８】
本発明に係る表示装置は、前記筒部は前記連結部に一体成形されていることを特徴とする。
【０００９】
本発明に係る表示装置は、前記連結部に前記筒部を挿入する挿入孔が形成してあり、前記筒部は前記挿入孔に挿入され、前記連結部にかしめられていることを特徴とする。
【発明の効果】
【００１０】
本発明にあっては、連結部材に貫通した筒部を設ける。該筒部の軸方向寸法は枠部材の貫通孔よりも短い。該貫通孔の一方から筒部を挿入し、貫通孔の他方から、枠部材に係合する連結部材（例えばボルト）を挿入し、連結部材を筒部に連結して、複数の枠部材を連結する。筒部及び連結部材は貫通孔内に位置しているので、連結部分の厚さを最小化することができる。
【図面の簡単な説明】
【００１１】
【図１】実施の形態１に係るテレビジョン受信機を略示する斜視図である。
【図２】テレビジョン受信機を略示する分解斜視図である。
【図３】収容枠を略示する斜視図である。
【図４】収容枠の右下の連結部分を略示する部分分解斜視図である。
【図５】収容枠の右下の連結部分を略示する部分断面図である。
【図６】実施の形態２に係るテレビジョン受信機における収容枠の右下の連結部分を略示する部分断面図である。
【図７】実施の形態３に係るテレビジョン受信機における収容枠の右下の連結部分を略示する部分分解斜視図である。
【発明を実施するための形態】
【００１２】
（実施の形態１）
以下本発明を実施の形態１に係る表示装置を示す図面に基づいて説明する。図１はテレビジョン受信機を略示する斜視図、図２はテレビジョン受信機を略示する分解斜視図である。以下の説明では図中に示した上下左右前後を使用する。
【００１３】
図において１はテレビジョン受信機であり、該テレビジョン受信機１は、映像を表示する表示装置１００と、該表示装置１００内に配設してあり、アンテナ（図示略）から放送波（テレビジョン放送）を受信するチューナ（受信部）２００と、表示装置１００内に配設してあり、符号化された放送波を復号するデコーダ３００とを備える。テレビジョン受信機１は、チューナ２００にて受信した放送波をデコーダ３００で復号し、復号した情報に基づいて表示装置１００に映像を表示する。なおチューナ２００及びデコーダ３００を表示装置１００の外部に設けて、表示装置１００に接続してもよい。
【００１４】
表示装置１００は液晶を有する矩形の表示パネル２を備えており、該表示パネル２は液晶への印加電圧を制御して光の透過率を調整するように構成されている。表示パネル２の周囲には矩形のベゼル３が設けられている。ベゼル３は、表示パネル２の前面縁部及び周面を覆う。表示パネル２の後側に導光板４が設けられており、該導光板４の前面に複数の光学シート５が設けられている。導光板４と表示パネル２との間に、表示パネル２を支持するパネルシャーシ６が設けてある。パネルシャーシ６は導光板４と表示パネル２との間に所定の隙間を形成する。
【００１５】
導光板４の背面には光を反射する反射シート７が設けてある。導光板４の下縁部分には導光板４を保持する導光板ホルダ８が設けてある。導光板４の下側には複数のＬＥＤ(Light Emitting Diode)を実装したＬＥＤ基板９が設けてある。ＬＥＤは導光板４の下面に対向している。ＬＥＤが発した光は導光板４に入射し、導光板４内にて乱反射し、導光板４の正面から出射して、表示パネル２に至る。導光板４の背面から出射した光は反射シート７に反射して、再び導光板４に入射する。
【００１６】
導光板４の後側に、ＬＥＤ基板９及び導光板４を支持するバックライトシャーシ１０が設けてある。バックライトシャーシ１０は矩形板状をなす。バックライトシャーシ１０の下部はヒートスプレッダ１０ａになっている。ＬＥＤ基板９はヒートスプレッダ１０ａに接触しており、ＬＥＤが発した熱はヒートスプレッダ１０ａに伝導する。バックライトシャーシ１０には二つのスタンド１１、１１が設けられている。表示装置１００の下側にはスピーカ１２が設けられている。
【００１７】
バックライトシャーシ１０の後側に、表示パネル２、導光板４、ＬＥＤ基板９及びバックライトシャーシ１０等を収容する収容枠２０が設けられている。
【００１８】
図３は収容枠２０を略示する斜視図、図４は収容枠２０の右下の連結部分を略示する部分分解斜視図である。収容枠２０は、下側が開口した逆Ｕ状をなす上側枠部材２１と、該上側枠部材２１の開口部分に取り付けられる側面視Ｌ形の棒状をなす下側枠部材２２とを備える。
【００１９】
上側枠部材２１はその両下端部に、上下方向を法線方向として内向きに突出した突出板２１ａ、２１ａを備える。突出板２１ａの先端部には、突出板２１ａの先端に開口を形成した凹部２１ｂが形成されている。開口部分の前後寸法は他の部分よりも短く、凹部２１ｂは、平面視において開口部分が窄まったフラスコ形をなす。
【００２０】
下側枠部材２２の下面部分における両端部に、前記凹部２１ｂに嵌合する凸部２２ａが設けられている。凸部２２ａの基端部の前後寸法は他の部分よりも短く、凸部２２ａは、平面視において開口部分が窄まったフラスコ形をなす。凸部２２ａは凹部２１ｂに倣った形状をなし、凸部２２ａは凹部２１ｂに嵌合している。
【００２１】
凹部２１ｂの前後において、突出板２１ａには上下に貫通した二つの貫通孔２１ｃ、２１ｃが設けられている。凸部２２ａの基端部付近において、下側枠部材２２の端部には上下に貫通した二つの貫通孔２２ｂ、２２ｂが設けられている。
【００２２】
凹部２１ｂ及び凸部２２ａの上側に、上側枠部材２１及び下側枠部材２２を連結する連結板２３が設けられている。連結板２３は金属部材によって構成されている。連結板２３は上下方向を法線方向とした四角形をなし、突出板２１ａ及び下側枠部材２２の端部に亘って配置されている。
【００２３】
連結板２３の四隅それぞれに、下方に突出した筒形のボス部２３ａが設けられている。ボス部２３ａは上下に貫通している。ボス部２３ａは、例えば連結板２３をバーリング加工することによって形成される。四つのボス部２３ａの位置は各貫通孔２１ｃ、２２ｂの位置に対応している。
【００２４】
図５は収容枠２０の右下の連結部分を略示する部分断面図である。ボス部２３ａの軸方向寸法は貫通孔２１ｃ、２２ｂの軸方向寸法よりも短い。各ボス部２３ａは各貫通孔２１ｃ、２２ｂに上側から挿入されており、ボス部２３ａの先端は貫通孔２１ｃ、２２ｂの中途に位置する。各貫通孔２１ｃ、２２ｂに下側からタッピングボルト２４が挿入されている。
【００２５】
タッピングボルト２４は、頭部２４ａと、該頭部２４ａから突出した雄ねじ部２４ｂとを備える。頭部２４ａの直径は貫通孔２１ｃ、２２ｂの直径よりも大きい。タッピングボルト２４の軸方向寸法は貫通孔２１ｃ、２２ｂの軸方向寸法と略同じである。タッピングボルト２４は頭部２４ａを下側にして貫通孔２１ｃ、２２ｂに挿入され、雄ねじ部２４ｂはボス部２３ａに螺合し、頭部２４ａは突出板２１ａ又は下側枠部材２２に係止する。タッピングボルト２４がボス部２３ａに螺合することによって、連結板２３は上側枠部材２１及び下側枠部材２２を連結する。
【００２６】
実施の形態１に係るテレビジョン受信機１にあっては、筒部の軸方向寸法は貫通孔２１ｃ、２２ｂよりも短い。そのため貫通孔２１ｃ、２２ｂの一方から筒部を挿入し、貫通孔２１ｃ、２２ｂの他方から上側枠部材２１及び下側枠部材２２に係合するタッピングボルト２４を挿入し、タッピングボルト２４を筒部に連結して、上側枠部材２１及び下側枠部材２２を連結する。筒部及びタッピングボルト２４は貫通孔２１ｃ、２２ｂ内に位置しているので、上側枠部材２１及び下側枠部材２２の連結部分の厚さを最小化することができる。そのためベゼル３の幅を最小化し、狭額縁化を図ることができる。
【００２７】
ボス部２３ａの数は四つに限定されず、三つのボス部２３ａを連結板２３に設けてもよい。また上部枠部及び下部枠部それぞれに一つずつ貫通孔を設け、各貫通孔に挿通する二つのボス部２３ａを連結板２３に設けてもよい。なお連結部材２３に樹脂部材を使用してもよい。
【００２８】
（実施の形態２）
以下本発明を実施の形態２に係るテレビジョン受信機１を示す図面に基づいて説明する。図６は収容枠２０の右下の連結部分を略示する部分断面図である。
【００２９】
連結板２３の四隅それぞれに、上下に貫通した挿入孔２３ｂが設けられている。挿入孔２３ｂそれぞれに筒形のインサートナット２３ｃが挿入されている。インサートナット２３ｃの一端部は連結板２３にかしめられており、他端部は挿入孔２３ｂから突出している。
【００３０】
インサートナット２３ｃの軸方向寸法は貫通孔２１ｃ、２２ｂの軸方向寸法よりも短い。各インサートナット２３ｃの他端部は各貫通孔２１ｃ、２２ｂに上側から挿入されており、前記他端部の先端は貫通孔２１ｃ、２２ｂの中途に位置する。各貫通孔２１ｃ、２２ｂに下側からボルト２５が挿入されている。
【００３１】
ボルト２５は、頭部２５ａと、該頭部２５ａから突出した雄ねじ部２５ｂとを備える。頭部２５ａの直径は貫通孔２１ｃ、２２ｂの直径よりも大きい。雄ねじ部２５ｂの軸方向寸法は貫通孔２１ｃ、２２ｂの軸方向寸法と略同じである。ボルト２５は頭部２５ａを下側にして貫通孔２１ｃ、２２ｂに挿入され、雄ねじ部２５ｂはインサートナット２３ｃに螺合し、頭部２５ａは突出板２１ａ又は下側枠部材２２に係止する。ボルト２５がインサートナット２３ｃに螺合することによって、連結板２３は上側枠部材２１及び下側枠部材２２を連結する。
【００３２】
実施の形態２に係るテレビジョン受信機１にあっては、インサートナット２３ｃの軸方向寸法は貫通孔２１ｃ、２２ｂよりも短い。そのため貫通孔２１ｃ、２２ｂの一方からインサートナット２３ｃを挿入し、貫通孔２１ｃ、２２ｂの他方から上側枠部材２１及び下側枠部材２２に係合するボルト２５を挿入し、ボルト２５をインサートナット２３ｃに連結して、上側枠部材２１及び下側枠部材２２を連結する。インサートナット２３ｃ及びボルト２５は貫通孔２１ｃ、２２ｂ内に位置しているので、上側枠部材２１及び下側枠部材２２の連結部分の厚さを最小化することができる。そのためベゼル３の幅を最小化し、狭額縁化を図ることができる。
【００３３】
実施の形態２に係る構成の内、実施の形態１と同様な構成については同じ符号を付し、その詳細な説明を省略する。
【００３４】
（実施の形態３）
以下本発明を実施の形態３に係るテレビジョン受信機１を示す図面に基づいて説明する。図７は収容枠２０の右下の連結部分を略示する部分分解斜視図である。
【００３５】
凹部２１ｂ及び凸部２２ａの上側に、上側枠部材２１及び下側枠部材２２を連結する二つの連結板２３、２３が設けられている。連結板２３は上下方向を法線方向とした左右方向に長い矩形状をなし、突出板２１ａ及び下側枠部材２２の端部に亘って配置されている。
【００３６】
連結板２３の両端部それぞれに、下方に突出した筒形のボス部２３ａが設けられている。ボス部２３ａは上下に貫通している。ボス部２３ａは、例えば連結板２３をバーリング加工することによって形成される。二つのボス部２３ａ、２３ａそれぞれの位置は、上側枠部材２１及び下側枠部材２２それぞれの貫通孔２１ｃ、２２ｂの位置に対応している。
【００３７】
各ボス部２３ａは各貫通孔２１ｃ、２２ｂに上側から挿入されており、ボス部２３ａの先端は貫通孔２１ｃ、２２ｂの中途に位置する。各貫通孔２１ｃ、２２ｂに下側からタッピングボルト２４が挿入されている。タッピングボルト２４は頭部２４ａを下側にして貫通孔２１ｃ、２２ｂに挿入され、雄ねじ部２４ｂはボス部２３ａに螺合し、頭部２４ａは突出板２１ａ又は下側枠部材２２に係止する。タッピングボルト２４がボス部２３ａに螺合することによって、連結板２３は上側枠部材２１及び下側枠部材２２を連結する。
【００３８】
なおボス部２３ａ及びタッピングボルト２４に代えて、実施の形態２と同様に、インサートナット２３ｃ及びボルト２５を使用してもよい。
【００３９】
実施の形態３に係る構成の内、実施の形態１又は２と同様な構成については同じ符号を付し、その詳細な説明を省略する。
【００４０】
今回開示した実施の形態は、全ての点で例示であって、制限的なものではないと考えられるべきである。各実施例にて記載されている技術的特徴は互いに組み合わせることができ、本発明の範囲は、特許請求の範囲内での全ての変更及び特許請求の範囲と均等の範囲が含まれることが意図される。
【００４１】
以上の本発明の実施の形態に関し、更に以下の事項を開示する。
【００４２】
本発明に係る表示装置１００は、映像を表示する表示パネル２と、該表示パネル２の周囲に配置されており、複数の枠部材２１、２２を連結して構成された枠２０とを備える表示装置１００において、前記複数の枠部材２１、２２における互いに隣接した部分に前記枠２０の内外方向に貫通した貫通孔２１ｃ、２２ｂが設けてあり、前記隣接した部分に設けてあり、前記複数の枠部材２１、２２を連結する連結部２３と、前記貫通孔２１ｃ、２２ｂに対応した位置にて前記連結部２３に貫通して設けられており、前記貫通孔２１ｃ、２２ｂよりも軸方向寸法が短く、前記貫通孔２１ｃ、２２ｂに挿入された筒部２３ａ、２３ｃと、前記貫通孔２１ｃ、２２ｂにて前記筒部２３ａ、２３ｃの反対側に位置しており、前記枠部材２１、２２に係合して前記筒部２３ａ、２３ｃに連結する連結部材２４、２５とを備えることを特徴とする。
【００４３】
本発明に係る表示装置１００は、前記筒部２３ａは前記連結部２３に一体成形されていることを特徴とする。
【００４４】
本発明に係る表示装置１００は、前記連結部２３に前記筒部２３ｃを挿入する挿入孔２３ｂが形成してあり、前記筒部２３ｃは前記挿入孔２３ｂに挿入され、前記連結部２３にかしめられていることを特徴とする。
【００４５】
本発明に係るテレビジョン受信機１は、上述したいずれかの表示装置１００と、テレビジョン放送を受信する受信部２００とを備え、前記受信部２００にて受信したテレビジョン放送に基づいて、前記表示装置１００に映像を表示するようにしてあることを特徴とする。
【符号の説明】
【００４６】
１  テレビジョン受信機
２  表示パネル
２０  収容枠（枠）
２１  上側枠部材（枠部材）
２１ａ  突出板
２１ｂ  凹部
２１ｃ  貫通孔
２２  下側枠部材（枠部材）
２２ａ  凸部
２２ｂ  貫通孔
２３  連結板（連結部）
２３ａ  ボス部（筒部）
２３ｂ  挿入孔
２３ｃ  インサートナット（筒部）
２４  タッピングボルト（連結部材）
２５  ボルト（連結部材）
１００  表示装置
２００  チューナ
３００  デコーダ
【図１】
2016066009.tif 000003
【図２】
2016066009.tif 000004
【図３】
2016066009.tif 000005
【図４】
2016066009.tif 000006
【図５】
2016066009.tif 000007
【図６】
2016066009.tif 000008
【図７】
2016066009.tif 000009